(57)【特許請求の範囲】
【請求項１】
左右一対の側面板と、該両側面板の対向する内側面同士を連結する前記両側面板よりも低い背面板と、前記両側面板及び前記背面板に囲まれた空間内における前記背面板の上端部よりも下方位置に架設された天板と、からなる机であって、
前記背面板の上端部には、オプション部材を取り付けるための取付部を少なくとも正面に備える上部横杆が左右方向に配設され、該上部横杆の下面には、前記背面板の上端部に突設される突条に嵌合する溝条が形成されるとともに、該上部横杆の左右側端面には、前記両側面板の内側面上部に互いに対向し合うように突設された突片が挿入される受穴が形成され、前記突片は、前記側面板とは別個に設けられ、該側面板の内側面に取り付けられる支持板の側面に突設され、前記支持板の下端には、前記突条が嵌合する切欠部が形成されており、前記上部横杆の正面側または背面側から挿通した止着部材により、前記受穴内に挿入された前記突片と前記上部横杆とが止着されることを特徴とする机。
【請求項２】
前記支持板は、前記上部横杆の側端面形状と略同一形状をなし、前記側面板と前記上部横杆の側端面との間に挟持されることを特徴とする請求項１に記載の机。
【請求項３】
前記取付部は、前記上部横杆の少なくとも正面に凹設された左右方向に延びる取付溝と、該取付溝の開口上下端からそれぞれ内向きに突設された係止片と、で構成されており、該取付溝内に前記止着部材の取付孔を形成したことを特徴とする請求項１または２に記載の机。
【請求項４】
前記溝条と前記受穴とが上下方向に連通されていることを特徴とする請求項１ないし３のいずれかに記載の机。
【発明の詳細な説明】
【技術分野】
【０００１】
本発明は、図書館での蔵書の閲覧や視聴覚設備を用いた講義等で利用される個人用のブースとして使用可能とした机に関する。
【背景技術】
【０００２】
従来、この種の机としては、例えば天板上の左右に立設した支柱の上部同士を横連結杆により連結するとともに、左右方向を向くメイン仕切板の上下端部を、該横連結杆の下面に形成した溝と天板上に形成した溝とに嵌合して天板上に立設し、また、該メイン仕切板の左右両端部と中間部とに、前後方向を向くサイド仕切板の前後方向の中間部を嵌合するとともに、前後両端を天板上に固定された保持具にて挟持して天板上に立設して、天板上を左右方向に複数に仕切るとともに、横連結杆の前後両面の上下部に互いに対向する係止片を設け、この係止片を利用して照明器具等（機器）を取り付け可能としたものがある（例えば、特許文献１参照）。
【０００３】
【特許文献１】特開２００５−１３１１９５号公報（第３頁、第５図）
【発明の開示】
【発明が解決しようとする課題】
【０００４】
しかしながら、特許文献１に記載の机では、天板上の左右側に立設した支柱の上部外側方からネジを螺入して横連結杆を連結するので、連結後においてネジが外部に露呈されるため、これを隠蔽するためのカバーを取り付けており、これにより支柱の構造が複雑になり、製造コストが嵩むといった問題があった。また、横連結杆の下面にメイン仕切板の上端部が嵌合されているが、メイン仕切板は天板上に形成された溝に下端が嵌合されているだけで強度が弱く、横連結杆は左右の支柱にて主に支持されているため、例えば横連結杆に重量のある機器等を取り付けた場合、天板上に立設した左右の支柱だけでは十分な支持強度が得られない虞があった。
【０００５】
本発明は、このような問題点に着目してなされたもので、オプション部材を取り付けるための取付部を備える上部横杆の支持強度を向上させるとともに、見栄え良く配設することができる机を提供することを目的とする。
【課題を解決するための手段】
【０００６】
前記課題を解決するために、本発明の請求項１に記載の机は、左右一対の側面板と、該両側面板の対向する内側面同士を連結する前記両側面板よりも低い背面板と、前記両側面板及び前記背面板に囲まれた空間内における前記背面板の上端部よりも下方位置に架設された天板と、からなる机であって、
前記背面板の上端部には、オプション部材を取り付けるための取付部を少なくとも正面に備える上部横杆が左右方向に配設され、該上部横杆の下面には、前記背面板の上端部に突設される突条に嵌合する溝条が形成されるとともに、該上部横杆の左右側端面には、前記両側面板の内側面上部に互いに対向し合うように突設された突片が挿入される受穴が形成され、前記突片は、前記側面板とは別個に設けられ、該側面板の内側面に取り付けられる支持板の側面に突設され、前記支持板の下端には、前記突条が嵌合する切欠部が形成されており、前記上部横杆の正面側または背面側から挿通した止着部材により、前記受穴内に挿入された前記突片と前記上部横杆とが止着されることを特徴としている。
この特徴によれば、天板上の左右側面を覆う左右側面板及び背面を覆う背面板は、天板を所定高さ位置に架設する強度が高い板材にて構成されており、上部横杆はこれら左右側面板及び背面板により支持されることで、例えば重量のある機器類が取付部に取り付けられても、上部横杆に加わる荷重が左右側面板及び背面板に分散されるため、安定的に支持できるばかりか、該上部横杆によって背面板と左右側面板とが連結されることで、左右側面板と背面板との接合強度も効果的に高まるため、剛性の高い机を提供できる。また、上部横杆の受穴内に挿入された突片を、上部横杆の正面側または背面側から挿通した止着部材にて止着して上部横杆と両側面板とを連結することで、側面板の外側面にネジ等が露呈することがないので、机の見栄えも向上する。更に支持板に対してかかる負荷が、突条と切欠部との嵌合作用により分散されるため、例えば支持板に対してかかる負荷により、該支持板の側面板に対する取付強度が弱まることが防止されるばかりか、支持板を側面板に取り付ける際に、支持板の切欠部に背面板の突条を嵌合させることで、支持板の位置決めができるようになる。
【０００７】
本発明の請求項２に記載の机は、請求項１に記載の机であって、前記支持板は、前記上部横杆の側端面形状と略同一形状をなし、前記側面板と前記上部横杆の側端面との間に挟持されることを特徴としている。
この特徴によれば、支持板を取り付けるためのネジ等が上部横杆５により隠蔽されるとともに、上部横杆から大きくはみ出ることがないので、上部横杆に対して目立ちにくくなる。
【０００８】
本発明の請求項３に記載の机は、請求項１または２に記載の机であって、
前記取付部は、前記上部横杆の少なくとも正面に凹設された左右方向に延びる取付溝と、該取付溝の開口上下端からそれぞれ内向きに突設された係止片と、で構成されており、該取付溝内に前記止着部材の取付孔を形成したことを特徴としている。
この特徴によれば、取付孔に取り付けた止着部材が、上下の係止片にて覆われた取付溝内に配置されて外方から見えにくくなるため、見栄えがよい。
【００１０】
本発明の請求項４に記載の机は、請求項１ないし３のいずれかに記載の机であって、
前記溝条と前記受穴とが上下方向に連通していることを特徴としている。
この特徴によれば、背面板の左右端に両側面板を接合した状態で、該両側面板間に上部横杆を上方から挿設するだけで該上部横杆を背面板の上端部に配設できるため、机の組み立て作業を容易に行うことができる。
【発明を実施するための最良の形態】
【００１１】
本発明に係る机を実施するための最良の形態を実施例に基づいて以下に説明する。
【実施例】
【００１２】
本発明の実施例を図面に基づいて説明すると、先ず図１は、実施例における机を示す斜視図であり、図２は、机を示す正面図であり、図３は、机を示す平面図であり、図４は、図３における机を示すＡ−Ａ縦断側面図であり、図５は、上部横杆の取付構造を示す分解斜視図であり、図６は、上部横杆の取付構造を示す正面図であり、図７は、図６における上部横杆を示すＢ−Ｂ横断平面図であり、図８は、図７における上部横杆を示すＣ−Ｃ縦断側面図であり、図９は、変形例における机を示す斜視図である。以下、図３及び図７における紙面下方側を机の正面側とし、図４及び図８における紙面左方側を机の正面側として説明する。
【００１３】
図１の符号１は、図書館での蔵書の閲覧や視聴覚設備を用いた講義等で利用される個人用のブースとして使用可能な机である。この机１は、床面上に立設される左右一対の側面板２と、床面上に立設され、左右の側面板２，２の後部内側面同士を連結するように配置される背面板３と、両側面板２，２及び背面板３で形成される平面視コ字形状をなす空間内（図３参照）における背面板３の上端部よりも下方位置に架設される天板４と、で構成されている。尚、両側面板２，２、背面板３及び天板４は、木製合板で形成されている。
【００１４】
図２及び図３に示すように、背面板３は、左右側面板２，２よりも低く構成されており、その上端部には、長手が左右方向を向く金属製の上部横杆５が配設されている。上部横杆５の正面側には、オプション部材の一例としての液晶モニタ６が取り付けられている。尚、オプション部材は、液晶モニタ６だけでなく、例えば照明器具等の電子機器や棚等の家具が含まれる。また、天板４の下面側には金属製の補強角管７が取り付けられて撓みが防止されているとともに、この補強角管７の左右端部が側面板２，２に螺着されることで、天板４が支持されている。
【００１５】
図４に示すように、背面板３の正面における天板４の下方位置には配線ダクト８が取り付けられているとともに、側面板２の内側面にもカバー体９ａで覆われた配線溝９が形成されている（図１参照）。また、天板４の後部には、天板４の下面側から上面側に貫通する配線穴部１０が形成されており、この配線穴部１０の上面開口はカバー体１０ａで覆われている。尚、特に図示はしないが、側面板２の内部には、配線溝９内に連通する配線管が上下方向に延設されており、この配線管の上部の開口部１１が側面板２の上部における上部横杆５の近傍に設けられている（図１参照）。これら配線ダクト８、配線溝９、配線穴部１０及び配線管（図示略）を利用して、天板４上に配置される機器類や上部横杆５に取り付けられる液晶モニタ６等のオプション部材から延出される電源コードや通信ケーブル等を体裁よく配線できるようになっている。
【００１６】
側面板２，２の内側面における背面板３及び天板４との接合位置には、図６に示すように、鬼目ナット１２が複数挿設されており、この鬼目ナット１２に螺合されたボルト１３が側面板２の内側面から内向きに突出されている。一方、図４に示すように、背面板３及び天板４の側端縁には、側面板２に取り付けられたボルト１３が挿入するダボ穴１４が複数形成されている。各ダボ穴１４の奥側にはノックダウン金具１５が配置されており、このノックダウン金具１５内にボルト１３の頭部が挿入された状態で、ノックダウン金具１５をドライバー等の工具で半回転させることで、ボルト１３の頭部が係止されてダボ穴１４からの逸脱が防止されるようになっている（図６参照）。つまり、ダボ穴１４内に挿入されたボルト１３の頭部がノックダウン金具１５にて係止されることで、両側面板２，２と背面板３及び天板４とが接合されている。
【００１７】
上部横杆５は、背面板３の長手幅よりも若干端寸に形成されるとともに、図５に示すように断面視で矩形状をなしており、その正面及び背面には、上下２条の取付溝１６，１６が長手方向にわたって凹設されている。各取付溝１６の開口上下端縁からは、特に図８に示すように、側面視で略Ｌ字形状をなす係止片１７，１７が互いに対向するように突設されており、これら係止片１７に、液晶モニタ６の背面側に設けられたモニタ支持体１８の後面に形成された係止爪１９を係止させることで、液晶モニタ６を上部横杆５に取り付けできるようになっている。
【００１８】
つまり、上部横杆５の正面及び背面には、液晶モニタ６等のオプション部材を取り付けるための取り付け部材である係止爪１９を係止可能な係止片１７を有する取付溝１６からなる取付部が設けられており、特に該取付部としての係止片１７及び取付溝１６が長手方向に延設されているため、オプション部材を左右方向の任意の箇所に取り付けることができる。また、特に本実施例における上部横杆５は押し出し成型により形成されており、係止片１７及び取付溝１６は上部横杆５の成型時に一体成型されている。尚、本実施例の上部横杆５には上記取付部が正面及び背面に設けられていたが、少なくとも正面に設けられていればよい。
【００１９】
上部横杆５の下面には、背面板３の上端面における前後方向の略中央部に該背面板３の長手方向にわたって突設された突条２７が嵌合する溝条２８が長手方向にわたって形成されており（図８参照）、上部横杆５の溝条２８に、床面上に立設された背面板３の突条２７が嵌合されることで、上部横杆５の前後方向のがたつきが防止されるようになっている。
【００２０】
また、上部横杆５は、図２及び図３に示すように、左右両側面板２，２の内側面に取り付けられる金属製の取付金具２０，２０を介して側面板２，２に取り付けられる。取付金具２０は、図５に示すように、上部横杆５の側端面形状と略同一形状をなす支持板２１と、この支持板２１の側面略中央部から上部横杆５側に向けて突設するように支持板２１に溶着された突片２２と、から構成されている。
【００２１】
支持板２１の四隅には、ネジ２３が挿設される貫通孔２４が形成されており、この貫通孔２４に挿通したネジ２３を側面板２の内側面上部に止着することで、取付金具２０が側面板２に固着され、突片２２が側面板２の内側面から内側に突出した状態で設けられるとともに、支持板２１の下端には、背面板３の左右側端面を側面板２，２の内側面に接合した状態において、該背面板３の突条２７が嵌合される切欠部２６が形成されており、これにより背面板３の上端部の前後方向のがたつきが防止されるようになっている。また、突片２２の先端上下部には、後述する止着部材としてのネジ３１が螺合されるネジ孔２５が形成されている。
【００２２】
尚、机１の組み立て時において、取付金具２０を側面板２に取り付けるときに、取付金具２０の支持板２１の切欠部２６を、側面板２に既に接合された背面板３の突条２７に嵌合させることで、取付金具２０の取付位置決定を容易に行うことができるようになっている。また、取付金具２０の突片２２の前後方向の厚み幅寸法は、前述した上部横杆５の溝条２８の間口の前後幅寸法よりも若干短寸に形成されており、突片２２を溝条２８内に下方から挿入できるようになっている。
【００２３】
本実施例における上部横杆５は、前述したように押し出し成型により形成されており、図７及び図８に示すように、その正面側及び背面側に上下一対の取付溝１６，１６が長手方向にわたって形成されているとともに、これら前後の取付溝１６，１６間には、上下幅方向に延びる空間部２９が長手方向にわたって形成されている。この空間部２９内には、上下一対の連結片３２，３２（図５参照）が長手方向にわたって形成されており、空間部２９内における下方の連結片３２の下方空間が前述した溝条２８を形成している。
【００２４】
また、図６及び図７に示されるように、上下一対の連結片３２，３２の長手方向の左右端部は切り欠かれ、上部横杆５の長手方向の左右端部よりも内側に位置しており、これにより、空間部２９の左右端部に、取付金具２０の突片２２が挿入可能な深さを有する受穴３３が構成されている。
【００２５】
このように上部横杆５内の上下幅方向にわたって形成された空間部２９の下部に溝条２８が形成され、空間部２９の左右端部に受穴３３が形成されていることで、溝条２８と受穴３３とが上下方向に連通しているため、後述するように机１を組み立てる際において、上部横杆５を左右の側面板２，２間に上方から差し込むことができるようになっている。
【００２６】
尚、本実施例では、この空間部２９の下部に溝条２８が形成されるとともに、該空間部２９の左右両端部に受穴３３が形成されているが、このような空間部２９を形成することなく、上部横杆５に、突片２２を挿入可能な深さを有する受穴及び突条２７が嵌合可能な溝条をそれぞれ別々に凹設してもよい。
【００２７】
また、上部横杆５の背面側に形成された取付溝１６の内壁１６ａ、すなわち、空間部２９と背面側の取付溝１６とを仕切るように配設される内壁１６ａには、前後方向に貫通する取付孔３０が、空間部２９内に挿入される突片２２のネジ孔２５に対応する位置に形成されている。
【００２８】
よって、空間部２９の左右両端の開口、すなわち受穴３３に突片２２を挿入した状態で、上部横杆５の背面側から、取付孔３０に止着部材としてのネジ３１を取り付け、内部に挿入された突片２２のネジ孔２５に螺入することで、上部横杆５と取付金具２０、つまり上部横杆５と側面板２とが連結される。このとき、取付孔３０に挿通して取り付けたネジ３１の頭部は、背面側の取付溝１６の内壁１６ａに配置されるので、ネジ３１が机１の正面側に露呈することがないばかりか、背面側からでも、取付溝１６の上下に配置される係止片１７によって背面側（外方側）から見えにくくなるので、机１の見栄えが向上する。
【００２９】
このように、側面板２とは別個に形成した取付金具２０の支持板２１を、側面板２の内側面上部にネジ止めすることで、側面板２の内側面上部に突片２２を容易に設けることができるので、側面板２の構造が複雑化することがない。尚、本実施例では、突片２２を背面側の取付溝１６内の内壁１６ａに止着しているが、正面側の取付溝１６の内壁に止着するようにしてもよい。
【００３０】
また、支持板２１の形状が上部横杆５の側端面の形状と略同一になっているので、図６及び図７に示される連結状態において、側面板２の内側面と上部横杆５の側端面とにより支持板２１が挟持され、これにより支持板２１を取り付けるためのネジ２３等が上部横杆５により隠蔽されるとともに、上部横杆５の外面に対して大きくはみ出ることがないので、上部横杆に対して目立ちにくくなる。
【００３１】
また、取付金具２０の支持板２１には、背面板３に形成された突条２７の左右端部が嵌合する切欠部２６が形成されていることで、取付金具２０のネジ２３に対してかかる負荷が、突条２７と切欠部２６との嵌合作用により分散されるため、例えば取付金具２０に対してかかる負荷によりネジ２３が緩んで側面板２，２に対する取付強度が弱まることが防止される。
【００３２】
このように構成された机１を組み立てるには、先ず左右の側面板２，２のボルト１３を背面板３及び天板４に形成されたダボ穴１４に嵌め込み、ノックダウン金具１５を介してボルト１３を係止することで、側面板２，２と背面板３及び天板４とを接合する。次に、取付金具２０を側面板２の内面側に取り付ける。具体的には、取付金具２０の支持板２１の切欠部２６を、側面板２に既に接合された背面板３の突条２７に嵌合することで、取付金具２０の側面板２に対する位置決めがなされるので、取付金具２０を側面板２の内側面における正確な位置に取り付けることができる。
【００３３】
そして、前述したように溝条２８の左右端部と受穴３３，３３とが上下方向に連通しているため、両側面板２，２の内側面間に上部横杆５を上方から差し込むことで、上部横杆５の溝条２８内に背面板３の突条２７が嵌合するとともに、左右の受穴３３内に突片２２，２２が嵌合され、上部横杆５を背面板３の上端部に簡単に配設することができる。次いで、取付孔３０に背面側からネジ３１を挿通し、空間部２９内に挿入された突片２２のネジ孔２５に螺合して止着することで、側面板２，２と上部横杆５とが強固に接合される。
【００３４】
このように上部横杆５の溝条２８と受穴３３とが上下方向に連通され、かつ両側面板２，２の内側面に突片２２，２２が設けられることで、上部横杆５を両側面板２，２間に上方から差し込むだけで簡単に配設できる。また、ネジ３１を突片２２に螺合する前であっても、上部横杆５は突片２２及び突条２７によって左右端部及び下部が支持されるので、机１の組み立て作業が極めて容易になる。
【００３５】
以上説明したように、本発明の実施例としての机１によれば、天板４上の左右側面を覆う左右側面板２，２及び背面を覆う背面板３は、床面から立設されて天板４よりも上方に延びており、天板４を所定高さ位置に架設する強度が高い板材にて構成されており、上部横杆５はこれら左右側面板２，２及び背面板３により支持されることで、重量のある機器類や棚等が取付溝１６の係止片１７に係止されても、上部横杆５に加わる荷重が左右側面２，２板及び背面板３に分散されるため、これらオプション部材を安定的に支持できるばかりか、金属製の上部横杆５によって背面板３と左右側面板２，２とが連結されることで、左右側面板２，２と背面板３との接合強度も効果的に高まるため、剛性の高い机を提供できる。
【００３６】
また、上部横杆５の左右両端開口、つまり受穴３３に挿入された突片２２を、上部横杆５の背面側から挿通したネジ３１にて止着して上部横杆５と両側面板２，２とを連結することで、側面板２，２の外側面から背面板３をネジ止めする必要がないので、ネジ等が側面板２，２の外面に露呈することがなく、机の見栄えが効果的に向上する。
【００３７】
さらに、突片２２及び該突片２２が挿入可能な受穴３３の左右両端開口は、上部横杆５全体の上下幅の半分以上の幅を有し、この突片２２の上下がネジ止めされるため、上部横杆５の縦回転方向にかかる負荷に対する支持力が効果的に高まる。
【００３８】
尚、図８に示すように、上部横杆５の取付溝１６内に、液晶モニタ６等の機器類から延出される電気ケーブル３４を配線することで、取付溝１６の係止片１７によって電気ケーブル３４が正面側（外方側）から見え難くなるため、見栄えよく配線することができる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、本発明の机として、１人用として単独に構成された机１が適用されていたが、図９に示す変形例としての机１’のように、前記机１を、左右方向及び前後方向に連設することで、複数人の使用者による使用を可能とした机１’も適用できる。
【００４１】
この机１’は、左右方向に隣り合う天板４，４間に配設される側面板を１枚の側面板２’にて共用し、かつ、前後方向に隣り合う天板４，４間に配設される背面板を１枚の背面板３’にて共用するとともに、上部横杆も１つの上部横杆５’にて共用して構成されているが、各ブース、つまり各天板４の周囲は、背面板３’及び左右両側面板２’，２’にて囲まれた机として構成されていることになるため、本発明の机を構成している。
【００４２】
また、前記実施例では、突片２２を止着する止着部材としてネジ３１が適用されていたが、受穴３３からの突片２２の逸脱を防止できるものであれば、例えば係止ピン等であってもよい。
【００４３】
また、突片２２の前後幅（板厚）を、受穴３３の前後幅（空間部２９の前後幅）とほぼ同寸法とし、突片２２を受穴３３内に嵌入させるようにすれば、突片２２による上部横杆５の支持強度をより効果的に高めることができる。
【図面の簡単な説明】
【００４４】
【図１】実施例における机を示す斜視図である。
【図２】机を示す正面図である。
【図３】机を示す平面図である。
【図４】図３における机を示すＡ−Ａ縦断側面図である。
【図５】上部横杆の取付構造を示す分解斜視図である。
【図６】上部横杆の取付構造を示す正面図である。
【図７】図６における上部横杆を示すＢ−Ｂ横断平面図である。
【図８】図７における上部横杆を示すＣ−Ｃ縦断側面図である。
【図９】変形例としての机を示す斜視図である。
【符号の説明】
【００４５】
１，１’          机
２                側面板
３                背面板
４                天板
５                上部横杆
６                液晶モニタ（オプション部材）
１６              取付溝（取付部）
１７              係止片（取付部）
１８              モニタ支持体
１９              係止爪
２０              取付金具
２１              支持板
２２              突片
２３              ネジ
２４              貫通孔
２５              ネジ孔
２６              切欠部
２７              突条
２８              溝条
２９              空間部（溝条，受穴）
３０              取付孔
３１              ネジ（止着部材）
３３              受穴
【図１】
0004804939.tif 000002
【図２】
0004804939.tif 000003
【図３】
0004804939.tif 000004
【図４】
0004804939.tif 000005
【図５】
0004804939.tif 000006
【図６】
0004804939.tif 000007
【図７】
0004804939.tif 000008
【図８】
0004804939.tif 000009
【図９】
0004804939.tif 000010